(57)【要約】【課題】    本発明は、施工が簡単で、しかも、防水施工をしようとする下地との間に空間を確保できる下張り防水施工方法を提供することを目的としている。【解決手段】    防水シ−ト１は、基材１０と、この基材１０の一方の面に付着した改質アスファルトの層１１と、この改質アスファルトの層１１の基材１０の面と反対の面に複数の凹凸部１１ａ、１１ｂが形成されると共に、複数の凹凸部１１ａ、１１ｂの内の複数の凹部１１ａは互いに連通し、複数の凹凸部１１ａ、１１ｂの内の凸部１１ｂには、粘着材１２が塗布され、この粘着材１２に付着した離型シ−ト１３（離型シ−ト１３は、離型シ−ト紙又はシ−ト）とを備えている。【選択図】図５
2006037673.tif 000002
【特許請求の範囲】
【請求項１】
基材と、この基材の一方の面に付着した改質アスファルトの層と、前記改質アスファルトの層の前記基材の面と反対の面に複数の凹凸部が形成されると共に、前記複数の凹凸部の内の複数の凹部は互いに連通し、前記複数の凹凸部の内の凸部には、粘着材が塗布され、この粘着材に付着した離型シ−トとを備えた防水シ−トであって、
この防水シ−トの前記離型シ−トを剥して防水施工をしようとする下地に前記粘着材を介して前記防水シ−トを付着させる
ことを特徴とする下張り防水施工方法。                                          
【請求項２】
防水シ−トの端部を除く部分の粘着材を加味しない防水シ−トの厚みがＴ、前記防水シ−トの端部の前記粘着材を加味しない厚みがＴ1 （Ｔ＞Ｔ1 ）、前記防水シ−トの端部と隣り合う防水シ−トの端部の前記粘着材を加味しない厚みがＴ2 （Ｔ＞Ｔ2 、Ｔ＝Ｔ1 ＋Ｔ2 ）であり、
前記粘着材を加味しない前記防水シ−トの端部の厚みＴ1 と隣り合う防水シ−トの端部の前記粘着材を加味しない厚みＴ2 は、共に、基材の厚みは同じで改質アスファルトの層が薄くなっており、
防水施工をしようとする下地に付着した前記防水シ−トの端部と隣り合う防水シ−トの端部が重なり合う部分の前記粘着材を加味しない厚みがＴとなっていることを特徴とする請求項１記載の下張り防水施工方法。
【発明の詳細な説明】
【技術分野】
【０００１】
本発明は、下張り防水施工方法に係り、特に、施工が簡単で、しかも、防水施工をしようとする下地との間に空間を確保できる下張り防水施工方法に関する。
【背景技術】
【０００２】
防水施工をしようとする下地に塗膜防水工事用シ−ト樹脂が付与された面を下地に隣接した状態で敷設後、プライマ−を塗布し、塗膜防水工事用シ−ト樹脂と下地を接着し、例えば、塗膜防水の下地を形成している。
【０００３】
【特許文献１】特開２００１−１４６８２１号公報（段落番号００１２参照）
【発明の開示】
【発明が解決しようとする課題】
【０００４】
しかしながら、上記の塗膜防水の下地形成は、時間を要すると共に、施工が面倒であるという問題点が生じた。
本発明は、上記問題点を除去するようにした下張り防水施工方法を提供するものである。
【課題を解決するための手段】
【０００５】
上記目的を達成するために、請求項１記載の下張り防水施工方法は、基材と、この基材の一方の面に付着した改質アスファルトの層と、前記改質アスファルトの層の前記基材の面と反対の面に複数の凹凸部が形成されると共に、前記複数の凹凸部の内の複数の凹部は互いに連通し、前記複数の凹凸部の内の凸部には、粘着材が塗布され、この粘着材に付着した離型シ−トとを備えた防水シ−トであって、この防水シ−トの前記離型シ−トを剥して防水施工をしようとする下地に前記粘着材を介して前記防水シ−トを付着させるものである。
【０００６】
また、請求項２記載の下張り防水施工方法は、請求項１記載の下張り防水施工方法において、防水シ−トの端部を除く部分の粘着材を加味しない防水シ−トの厚みがＴ、前記防水シ−トの端部の前記粘着材を加味しない厚みがＴ1 （Ｔ＞Ｔ1 ）、前記防水シ−トの端部と隣り合う防水シ−トの端部の前記粘着材を加味しない厚みがＴ2 （Ｔ＞Ｔ2 、Ｔ＝Ｔ1 ＋Ｔ2 ）であり、前記粘着材を加味しない前記防水シ−トの端部の厚みＴ1 と隣り合う防水シ−トの端部の前記粘着材を加味しない厚みＴ2 は、共に、基材の厚みは同じで改質アスファルトの層が薄くなっており、防水施工をしようとする下地に付着した前記防水シ−トの端部と隣り合う防水シ−トの端部が重なり合う部分の前記粘着材を加味しない厚みがＴとなっているものである。
【発明の効果】
【０００７】
請求項１記載の下張り防水施工方法によれば、防水シ−トの離型シ−トを剥して防水施工をしようとする下地に粘着材を介して前記防水シ−トを付着させるため、施工が簡単で、しかも、複数の凹凸部の内の複数の凹部に粘着材は付着していないため、防水施工をしようとする下地との間に空間を確保でき、下地から発生する水蒸気を逃がすことができる。
【０００８】
請求項２記載の下張り防水施工方法によれば、前述した請求項１記載の発明の効果に加え、防水施工をしようとする下地に付着した前記防水シ−トの端部と隣り合う防水シ−トの端部が重なり合う部分の厚みがＴとなって防水シ−トの端部を除く部分の防水シ−トの厚みＴと同じであるため、継ぎ目の部分でのシ−ル性が向上すると共に、基材の上に塗膜を形成したり、アスファルトのシ−トを張っても、継ぎ目の部分の凹凸形状が少なく見栄えの良好な施工面を形成することができる。
【実施例】
【０００９】
本発明の一実施例の下張り防水施工方法を図面を参照して説明する。
図１乃至図４において、１は防水シ−トで、防水シ−ト１は、基材１０と、この基材１０の一方の面に付着した改質アスファルトの層１１と、この改質アスファルトの層１１の基材１０の面と反対の面に複数の凹凸部１１ａ、１１ｂが形成されると共に、複数の凹凸部１１ａ、１１ｂの内の複数の凹部１１ａは互いに連通し、複数の凹凸部１１ａ、１１ｂの内の凸部１１ｂには、粘着材１２が塗布され、この粘着材１２に付着した離型シ−ト１３（離型シ−ト１３は、例えば、紙又はフィルムである。）とを備えている。
【００１０】
基材１０は、例えば、不織布（例えば、ポリエステル繊維）とガラスメッシュを組み合わせたもの、合成樹脂フィルム（例えば、ＰＥＴフィルム）とガラスメッシュを組み合わせたもの、不織布（例えば、ポリエステル繊維）、ガラスメッシュ、合成樹脂フィルム（例えば、ＰＥＴフィルム）を組み合わせたものである。
【００１１】
改質アスファルトの層１１の改質アスファルトは、合成ゴムあるいは合成樹脂を加えてアスファルトの性質を改良したもので、本実施例にあっては、特に、ブロ−ンとワックスを混入した改質アスファルトが良い。
改質アスファルトの層１１の複数の凹凸部１１ａ、１１ｂは、例えば、図３に示すような菱形のエンボスパタ−ンに形成され、複数の凹凸部１１ａ、１１ｂの内の複数の凹部１１ａは互いに連通して通気溝を形成し、下地から発生する水蒸気を逃がす通路となる。    なお、菱形のエンボスパタ−ンは、ストレ−トのものに比し、通気性を確保しながら、しかも、粘着強度を向上させ、耐風圧に耐えることができる。
また、層１１の複数の凹凸部１１ａ、１１ｂは、図３に示す形状に限らず、例えば、円形、長方形、円形と長方形を組み合わせたものと種々ある。
【００１２】
粘着材１２は、例えば、アクリル樹脂などの樹脂、ゴムエマルジョンを主体としたもの、粘着性を有する改質アスファルト等である。                                    
【００１３】
従って、防水シ−ト１の離型シ−ト１３を剥して（図１及び図２参照）防水施工をしようとする下地２に粘着材１２を介して防水シ−ト１を付着させて下張り防水施工を行うことができる（図４参照）。
そのため、施工が簡単で、しかも、複数の凹凸部１１ａ、１１ｂの内の複数の凹部１１ａに粘着材１２は付着していないため、防水施工をしようとする下地２との間に空間を確保でき、下地から発生する水蒸気を逃がすことができる。なお、下地から発生する水蒸気は、凹部１１ａを通って、凹部１１ａに連通する図示しない脱気筒より排出される。
【００１４】
下地２に防水シ−ト１を付着させて下張り防水施工を行った後、基材１０の上に塗膜を形成したり（塗膜防水）、アスファルトのシ−トを張って（アスファルト防水）、防水性を確保するようにしている。
【００１５】
なお、上述した防水シ−ト１の端部と隣り合う防水シ−ト１の端部とを並設する際、防水シ−ト１の端部の上に隣り合う防水シ−ト１の端部をラップするように並設して、継ぎ目のシ−ル性を確保することもできるが、継ぎ目の部分に凸形状ができ。見栄えの点で好ましくない。
次に述べる実施例においては、上述した点の改善を図ったものである。
即ち、図５及び図６において、防水シ−ト１の端部を除く部分の粘着材１２の厚さを加味しない防水シ−ト１の厚みはＴ、粘着材１２の厚さを加味しない防水シ−ト１の端部の厚みがＴ1 、粘着材１２の厚さを加味しない防水シ−ト１の端部と隣り合う防水シ−ト１の端部の厚みがＴ2 となっている。
ここで、Ｔ＞Ｔ1 、Ｔ＞Ｔ2 、Ｔ＝Ｔ1 ＋Ｔ2 となっている。
そして、防水シ−ト１の端部の厚みＴ1 と隣り合う防水シ−ト１の端部の厚みＴ2 は、共に、基材１０の厚みは同じで改質アスファルトの層１１が薄くなっている。
【００１６】
防水施工をしようとする下地２に付着した防水シ−ト１の端部と隣り合う防水シ−トの端部１が重なり合う部分の厚みがＴとなるように、防水シ−ト１を並設する。２０は防水シ−ト１の厚みより薄いテ−プで、並設した防水シ−ト１の継ぎ目に付着して該継ぎ目よりのシ−ル性を確保するようにしている。
下地２に防水シ−ト１を付着させて下張り防水施工を行った後、上述した実施例と同様、基材１０の上に塗膜を形成したり（塗膜防水）、アスファルトのシ−トを張って（アスファルト防水）、防水性を確保するようにしている。
そのため、継ぎ目の部分でのシ−ル性が向上すると共に、基材１０の上に塗膜を形成したり（塗膜防水）、アスファルトのシ−トを張って（アスファルト防水）も、継ぎ目の部分の凹凸形状が少なく見栄えの良好な施工面を形成することができる。上述した実施例と同一部分に同一符号を付してその説明を一部省略している。
【図面の簡単な説明】
【００１７】
【図１】図１は、本発明の一実施例の防水シ−トの概略的断面図である。
【図２】図２は、図１の防水シ−トから離型シ−トを剥した状態の概略的断面図である。
【図３】図３は、図２の防水シ−トの改質アスファルトの層から見た概略的平面図である。
【図４】図４は、図１の防水シ−トを防水施工をしようとする下地に付着させた状態の概略的断面図である。
【図５】図５は、図１の防水シ−トと異なる他の実施例の防水シ−トの概略的断面図である。
【図６】図６は、図５の防水シ−トを防水施工をしようとする下地に付着させた状態の概略的断面図である。
【符号の説明】
【００１８】
１    ・・・・・防水シ−ト
１０  ・・・・・基材
１１  ・・・・・改質アスファルトの層
１１ａ・・・・・凹部
１１ｂ・・・・・凸部
１２  ・・・・・粘着材
１３  ・・・・・離型シ−ト
【図１】
2006037673.tif 000003
【図２】
2006037673.tif 000004
【図３】
2006037673.tif 000005
【図４】
2006037673.tif 000006
【図５】
2006037673.tif 000007
【図６】
2006037673.tif 000008